(57)【要約】【課題】マイナスイオンを発し、抗菌作用を有し、遠赤外線を常温で発する天然の黒鉛珪石、あるいは、この黒鉛珪石を含有し、又は、塗布した、直径約５ｍｍから４０ｍの粒状の物を約ゴルフボールの大きさの網状袋、あるいは、穴あき球状プラスティックケース（開閉でき、モノフィラメントで吊るす）に入れて台所のゴミバスケット、三角コーナー等に使用する有用な、抗菌効果のある台所の排水口等に使用する自然に優しく人体に安全な悪臭、ぬめり防止剤を提供すること。【解決手段】北海道桧山郡上の国町天の川上流に産出する黒鉛珪石（ブラックシリカ、シリカブラック）を現在確認できるこの目的に最適の天然鉱石として使用し、この天然の黒鉛珪石、あるいは、この黒鉛珪石を含有し、又は、塗布した、直径約５ｍｍから４０ｍの粒状の物を約ゴルフボールの大きさの網状袋、あるいは、穴あき球状プラスティックケース（開閉でき、モノフィラメントで吊るす）に入れて製造することで完成する。【選択図】  図３
2005000600.tif 000002
【特許請求の範囲】
【請求項１】
自然に優しく人体に安全な、抗菌作用を有し、マイナスイオンを発し、遠赤外線を常温で発する天然の黒鉛珪石、あるいわ、この黒鉛珪石を含有し、又は、塗布した直径約５ｍｍから４０ｍｍの粒状の物を、約ゴルフボールの大きさの網状袋、あるいは、穴あき球状プラスティック（開閉でき、プラスティックモノフィラメント等で吊るす）に入れて台所のゴミバスケット、三角コーナー等に使用することを特徴とする悪臭、ぬめり防止剤。
【請求項２】
自然に優しく人体に安全な抗菌作用を有し、マイナスイオンを発し、遠赤外線を常温で発する天然の黒鉛珪石、あるいわ、この黒鉛珪石を含有し、又は、塗布した直径約５ｍｍから４０ｍｍの粒状の物とマイナスイオンをより多く発するセラミックボールを、約ゴルフボールの大きさの網状袋、あるいは、穴あき球状プラスティック（開閉でき、プラスティックモノフィラメント等で吊るす）に入れて台所のゴミバスケット、三角コーナー等に使用することを特徴とする悪臭、ぬめり防止剤。
【発明の詳細な説明】
【０００１】
【発明の属する技術分野】
本発明は、抗菌作用を有し、マイナスイオンを発し、遠赤外線を常温で発する天然の黒鉛珪石、あるいは、この黒鉛珪石を含有し、又は、塗布した直径が約５ｍｍから４０ｍｍの粒状の物を約ゴルフボールの大きさの網状袋、あるいは、穴あき球状プラスティックケース（開閉でき、モノフィラメントで吊るす）に入れて台所のゴミバスケット、三角コーナー等に使用する自然に優しく人体に安全な、悪臭、ぬめり防止剤に関するものである。
【０００２】
【従来の技術】
近年、マイナスイオンや  抗菌効果を持った商品が開発、販売されている。特に、台所のゴミバスケット、三角コーナーの生ゴミから発生する、悪臭、ぬめりは、台所で常に問題となっている。現在、ゴミバスケット、あるいわ、三角コーナー自体に抗菌性を持たせた商品や、本発明と同様に、約ゴルフボールの大きさの網状袋、あるいは、穴あき球状プラスティックケース（開閉でき、モノフィラメントで吊るす）に抗菌薬剤を入れて製造販売されている。抗菌性がある銅製のゴミバスケットや三角コーナーでもステンレス製と比して抗菌効果がある。  悪臭、ヌメリ取り剤として、トリクロロイソシアヌル酸等（例えば、商品説明書１）が使用されているの。トリクロロイソシアヌル酸は、金属やゴムを劣化させ、特に抗菌作用のある銅製品には使用できない。  又、塩素系の薬剤であるので塩素ガスの発生する可能性もあり、人体に危険性がある。他に、天然系の防カビ剤等を使用しているヌメリ取り（例えば、商品説明書２）もあるが、人体に良くは無く、特に目に入った時は、注意が必要であり、お湯を流すと、薬剤がより多く溶解し、効果期間が短縮する。  全ての商品は  約１ヶ月間の効果持続であり、薬剤が水にすこしずつ溶けて、約１ヶ月で薬剤は消滅してしまう。  この薬剤の溶解、溶出は環境にも良くない。常温で遠赤外線放射率が９０％以上の天然鉱石は日本には数箇所でしか産出しない。  又、マイナスイオンを発し、抗菌作用を有する天然の鉱石はさらに限定されたところでしか産出しない。  この天然の黒鉛珪石の悪臭、ぬめり発生防止効果は半年以上持続する。この商品は溶解しないので、洗浄して天日干しをすれば再度使用することが出来る、このような、排水口の悪臭、ぬめり防止剤および対策商品は無い。この防止剤は人体に無害であるだけでなく、環境に優しい悪臭、ぬめり防止剤である・
【０００３】
（商品説明書１）大三株式会社製造排水口ヌメリ取り商品説明書
（商品説明書２）フマキラー製造排水口のヌメリ取り商品説明書
【０００４】
【発明が解決しようとする課題】
本発明は、台所で常に問題となっている、ゴミバスケット、三角コーナーに発生する、悪臭、ぬめりの防止対策を、自然に優しく人体に安全な、マイナスイオンを発生し、抗菌作用を有し、遠赤外線を常温で発する天然の黒鉛珪石、あるいは、この黒鉛珪石を含有し、又は、塗布した、直径約５ｍｍから４０ｍｍの粒状の物を約ゴルフボールの大きさの網状袋、あるいは、穴あき球状プラスティックケース（開閉でき、モノフィラメントで吊るす）に入れて台所のゴミバスケット、三角コーナー等に使用する悪臭、ぬめり防止剤及び対策商品を提供する目的とする。マイナスイオンを発し、常温で遠赤外線放射率が９０％以上の天然鉱石は日本には数箇所でしか産出しない。さらに、抗菌作用を併有する天然鉱石はさらに限られた所でしか産出しない。
【０００５】
本発明者は鋭意検討した結果、下記発明に到達した。
【０００６】
常温で遠赤外線放射率が９０％以上の天然鉱石は日本には数箇所でしか産出しない。又、抗菌作用を併有する天然鉱石はさらに限られた所でしか産出しない。北海道桧山郡上の国町天の川上流に産出する黒鉛珪石（ブラックシリカ、シリカブラック）を現在確認できるこの目的に最適の天然鉱石として検討し、使用したことが本発明である。すなわち、この黒鉛珪石か、あるいは、この黒鉛珪石を含有し、又は、塗布した、半径が約５ｍｍから４０ｍｍの粒状の物を、約ゴルフボールの大きさの網状袋、あるいは、穴あき球状プラスティックケース（開閉でき、ナイロンモノフィラメント等で吊るす）に入れて台所のゴミバスケット、三角コーナー等に使用する。  天然の黒鉛珪石の直径が約１０ｍｍ前後の小粒な石を数個使用する場合に、効果が最もあるが、大きさを均一に出来ない欠点があるが、この目的に使用する上では、大きな問題とはならない。１ｍｍから５ｍｍ程度の小粒数個を、陶芸用粘土と混練し直径約３０ｍｍの球状体を作り、焼成した。
黒鉛珪石含有重量比５０％以上が望ましい。
【０００７】
【発明の実施の形態】
以下、本発明を具体的な実施例に基づいて説明する。
【０００８】
抗菌効果を有し、マイナスイオンを発し、遠赤外線を常温で９０％以上の放射率を有する黒鉛珪石の直径が約３５ｍｍ前後の石を穴あき球状プラスティックケース（開閉でき、モノフィラメントで吊るす）に入れ、直径が約１０ｍｍの石５個をネット状の袋に入れ、これを３袋作成した。黒鉛珪石を入れた穴あき球状プラスティックケースを台所のゴミバスケットにナイロンモノフィラメント線径０，５０ｍｍを使用して取り付けた。ネット状の袋に入れた３包みは台所の三角コーナーの３ヶ所の角に置いた。
【０００９】
【発明の効果】
通常のように家庭での料理後のご飯、野菜、魚、肉等生ゴミを入れて置いた。通常２−３日後にはぬめりと悪臭が発生するが、本発明の場合は、悪臭とぬめりも発生しなかった。  ５日目にもまだ悪臭とぬめりも発生しなかった。通常は１日に一度は清掃するので、一度生ゴミを捨て、水で洗浄した。更に同様に、３日一度生ゴミを捨て、水で洗浄した。  ６ヶ月繰り返した使用したが、その効果は持続していた。このように、抗菌効果を有し、マイナスイオンを発し、遠赤外線を常温で発する天然の黒鉛珪石、あるいは、この黒鉛珪石を含有した、直径約５ｍｍから４０ｍｍの粒状の物を約ゴルフボールの大きさの網状袋、あるいは、穴あき球状プラスティックケース（開閉でき、モノフィラメントで吊るす）に入れて台所のゴミバスケット、三角コーナーに使用する、悪臭、ぬめりを防止し、抗菌効果のある人体に安全な商品である。
【図面の簡単な説明】
【図１】本発明の実施例の穴あき球状プラスティックケース模式図
【図２】本発明の実施例のゴルフボールの大きさの網状袋模式図
【図３】本発明の実施例の穴あき球状プラスティックケースのゴミバスケット設置模式図
【図４】本発明の実施例のゴルフボールの大きさの網状袋の三角コーナー設置模式図
【図１】
2005000600.tif 000003
【図２】
2005000600.tif 000004
【図３】
2005000600.tif 000005
【図４】
2005000600.tif 000006